(57)【特許請求の範囲】
【請求項１】
所定長さを有する平板状のワイパーブレードと、上記ワイパーブレードが装着される長手状のヘッドと、このヘッドに接続され、柄が連結されるヘッドホルダと、を備え、上記ワイパーブレードをガラス面に当接させつつ移動させてこのガラス面の清掃を行う窓用清掃具であって、
上記ヘッドは、上記ヘッドホルダに対して回動可能とされており、
上記ヘッドには、ガラス面に対する上記ヘッドの姿勢を維持するためのガイド体が一体的に設けられており、
上記ガイド体は、上記ヘッドからこのヘッドの短手方向に片持ちアーム状に延出するガイド部を有しており、かつ、
上記ガイド部は、ガラス面に対する当接部位がガラス面側に突出する湾曲部を有していることを特徴とする、窓用清掃具。
【請求項２】
上記ヘッドは、上記ヘッドホルダに対して上記ヘッドの長手方向と平行な軸心を中心として回動可能とされている、請求項１に記載の窓用清掃具。
【請求項３】
上記ヘッドは、上記ヘッドホルダに対して全方向に回動可能とされている、請求項１に記載の窓用清掃具。
【請求項４】
上記ヘッドと上記ヘッドホルダとが可撓部を介して接続されている、請求項３に記載の窓用清掃具。
【請求項５】
上記ガイド体は、ガラス面との当接部位が上記ワイパーブレードに対して上記ヘッドホルダ側に位置するように構成されている、請求項１ないし４のいずれかに記載の窓用清掃具。
【請求項６】
上記ガイド体の上記ガイド部は、上記ワイパーブレードとともにガラス面に当接させた状態において、上記ヘッドをガラス面に押し付けようとする荷重に対して弾性的に変形可能である、請求項１ないし５のいずれかに記載の窓用清掃具。
【請求項７】
上記ヘッドホルダに対する上記ヘッドの回動を規制してロックすることが可能なロック機構が設けられている、請求項１ないし６のいずれかに記載の窓用清掃具。
【請求項８】
上記ロック機構は、上記ヘッドに一体的に固定された操作レバーと、上記ヘッドホルダに形成された係合部とを備えており、
上記操作レバーが所定の操作をなされたときに上記操作レバーと上記係合部が係合することにより、上記ヘッドの回動を規制する状態が維持されるように構成されている、請求項７に記載の窓用清掃具。
【請求項９】
上記ヘッドには、上記ワイパーブレードと離間する位置に上記ヘッドの長手方向に所定長さを有するスポンジ体が装着されている、請求項１ないし８のいずれかに記載の窓用清掃具。
【発明の詳細な説明】
【技術分野】
【０００１】
本発明は、窓ガラスなどの清掃の際に使用される窓用清掃具に関する。
【背景技術】
【０００２】
窓ガラスの清掃を行なう場合に使用される窓用清掃具の一例として、図１４（ａ）に示すようなものがある（たとえば、実開平１−５９５６５号公報参照）。図示された窓用清掃具Ｂは、水あるいは洗剤を含浸させてガラス面に付着している埃などを落すためのスポンジ体１０４と、ガラス面に付着した水滴などを除去するための弾性材料からなるワイパーブレード１０３とがヘッド１０１に装着されており、棒状の柄１０６をヘッド１０１の柄部１０１ａに連結させることにより、高所に位置する窓ガラスを清掃することができるように構成されている。
【０００３】
この窓用清掃具Ｂにおいて、ヘッド１０１の柄部１０１ａは、高所の窓ガラスを清掃する場合の作業性を考慮して、ワイパーブレード１０３をガラス面Ｓに対して垂直ないし下方に少し傾斜する姿勢にしたときに、柄１０６がガラス面Ｓに対して適切な角度βで傾斜するように形成されている。したがって、高所のガラス面に付着した水滴を除去する際には、ワイパーブレード１０３をガラス面に押し付けたまま下方にスライドさせることにより、ガラス面Ｓに付着した水滴を効率よく掻き落とすことができる。
【０００４】
しかしながら、上記従来技術による窓用清掃具Ｂでは、低所の窓ガラスに付着した水滴を除去する場合、図１４（ｂ）に示すように、柄１０６がガラス面に対して起立する姿勢となり、ワイパーブレード１０３はガラス面Ｓに対して上方に傾斜してしまう。そうすると、ワイパーブレード１０３を下方にスライドさせてもワイパーブレード１０３の先端が部分的にガラス面Ｓに引っ掛かり、水滴を適確に除去することができない。したがって、このような場合には、ワイパーブレード１０３がガラス面Ｓに対して適切な姿勢となるように柄１０６をガラス面Ｓに対して傾斜させる必要が生じる。すなわち、ワイパーブレード１０３を横方向にスライドさせて、あるいは柄１０６を取り外してヘッド１０１の柄部１０１ａを掴み、ワイパーブレード１０３のガラス面Ｓに対する姿勢を調整しながら作業を行わなければならず、その結果、作業効率が悪くなるといった問題が生じていた。
【発明の開示】
【０００５】
本発明は、上記した事情のもとで考え出されたものであって、窓ガラスに付着した水滴を除去するのに際して、高所から低所に至る範囲の窓ガラスに対して効率よく作業することができる窓用清掃具を提供することを課題としている。
【０００６】
本発明によって提供される窓用清掃具は、所定長さを有する平板状のワイパーブレードと、上記ワイパーブレードが装着される長手状のヘッドと、このヘッドに接続され、柄が連結されるヘッドホルダと、を備え、上記ワイパーブレードをガラス面に当接させつつ移動させてこのガラス面の清掃を行う窓用清掃具であって、上記ヘッドは、上記ヘッドホルダに対して回動可能とされており、上記ヘッドには、ガラス面に対する上記ヘッドの姿勢を維持するためのガイド体が一体的に設けられており、上記ガイド体は、上記ヘッドからこのヘッドの短手方向に片持ちアーム状に延出するガイド部を有しており、かつ、上記ガイド部は、ガラス面に対する当接部位がガラス面側に突出する湾曲部を有していることを特徴としている。
【０００７】
本発明に係る窓用清掃具では、柄が連結されるヘッドホルダと、ワイパーブレードが装着されるヘッドとを備えており、ヘッドホルダに対してヘッドが回動するように構成されている。また、ヘッドにはワイパーブレードとともにガラス面に当接してガラス面に対するヘッドの姿勢を維持するガイド体が設けられている。そのため、ガイド体をワイパーブレードとともにガラス面に当接させることにより、ガラス面と柄との間の角度が変化しても、ワイパーブレードがガラス面に対して所定の角度をなすように維持される。したがって、本発明に係る窓用清掃具を使用して窓ガラスに付着した水滴を除去する際には、高所から低所に至る範囲の窓ガラスに対して不都合なく作業をすることが可能となり、作業効率の向上を図ることができる。また、この窓用清掃具によれば、ガイド体のガイド部をワイパーブレードとともにガラス面に押し付けたままヘッドを下方にスライドさせる際に、ガラス面とガイド体との接触抵抗を低減させることができる。また、窓ガラスの垂直方向の途中においてガラス面から突出する桟などの突出部が設けられている場合においても、ガイド体のガイド部が突出部に引っ掛かることなく円滑に乗り越えることが可能となる。したがって、このような突出部を有する窓ガラスの水滴を除去する場合においても不都合なく作業を行うことが可能となり、作業効率の向上を図るうえで好適である。さらに、ガイド体のガイド部が上記突出部に当たった際の衝撃を吸収してより円滑に上記突出部を乗り越えることが可能となる。
【０００８】
本発明の好ましい実施の形態においては、上記ヘッドは、上記ヘッドホルダに対して上記ヘッドの長手方向と平行な軸心を中心として回動可能とされている。
【０００９】
このような構成によれば、ヘッドが一定方向にのみ回動可能であるので、ヘッドを下方にスライドさせる際の窓用清掃具の取り扱いが容易となる。
【００１０】
本発明の好ましい実施の形態においては、上記ヘッドは、上記ヘッドホルダに対して全方向に回動可能とされている。また、上記ヘッドとヘッドホルダとが可撓部を介して接続されていることが好ましい。
【００１１】
このような構成によれば、ヘッドを下方にスライドさせるにあたり、作業者が柄を斜め上方に向けたままヘッドを下方にスライドさせるといった使用が可能となり、作業者にとって使い勝手が良好となる。また、ヘッドとヘッドホルダとが可撓部を介して接続されていれば、ヘッドがヘッドホルダに対して全方向に回動自在に構成するうえでその構造が簡素化され、好適である。
【００１２】
本発明の好ましい実施の形態においては、上記ガイド体は、ガラス面との当接部位が上記ワイパーブレードに対して上記ヘッドホルダ側に位置するように構成されている。
【００１３】
このような構成によれば、窓ガラスの水滴を除去する際には、ガイド体のガラス面との当接部位がワイパーブレードよりも下方に位置することとなる。そのため、ガイド体をワイパーブレードとともにガラス面に当接させることにより、ガラス面と柄との間の角度が変化しても、ワイパーブレードがガラス面に対して垂直ないし下方に少し傾斜する状態が適切に維持される。したがって、本発明によれば、ワイパーブレードがガラス面に対して適切な角度を維持したままヘッドを下方にスライドさせることができるので、ガラス面に付着した水滴を効率よく掻き落とすことが可能となり、作業効率の向上を図るうえで好適である。
【００１４】
【００１５】
【００１６】
【００１７】
【００１８】
【００１９】
【００２０】
【００２１】
本発明の好ましい実施の形態においては、上記ヘッドホルダに対する上記ヘッドの回動を規制してロックすることが可能なロック機構が設けられている。
【００２２】
このような構成によれば、ロック機構を作用させておくことにより、従来技術と同様の使用方法が可能となる。すなわち、ヘッドの回動を規制するようにロックしておけば、ガイド体をガラス面に当接させることなくワイパーブレードのみをガラス面に押し付けることができる。したがって、窓ガラスの水滴を除去する際に使用方法の選択が可能となり、作業者にとって使い勝手が良好となる。
【００２３】
本発明の好ましい実施の形態においては、上記ロック機構は、上記ヘッドに一体的に固定された操作レバーと、上記ヘッドホルダに形成された係合部とを備えており、上記操作レバーが所定の操作をなされたときに上記操作レバーと上記係合部が係合することにより、上記ヘッドの回動を規制する状態が維持されるように構成されている。
【００２４】
このような構成によれば、操作レバーとヘッドホルダの係合部との係合によってヘッドの回動が規制されたロック状態に維持されるので、ロック機構の構造の簡素化を図りつつ、作業中にロック状態が不当に解除されるといった不具合を回避することができる。
【００２５】
上記ヘッドには、上記ワイパーブレードと離間する位置に上記ヘッドの長手方向に所定長さを有するスポンジ体が装着されている。
【００２６】
このような構成によれば、スポンジ体に水あるいは洗剤を含浸させてガラス面を擦ってガラス面に付着した埃などを拭き取り、そのあとにワイパーブレードでガラス面に付着した水滴などを除去するといった使用が可能となる。このように、本発明に係る窓用清掃具は２種類の異なる清掃機能を具備するので、２種類の窓用清掃具を別々に準備する必要がなく、清掃作業効率の向上を図るうえで好適である。また、スポンジ体を使用する際にロック機構を作用させておくと、スポンジ体をガラス面に押し付けてもヘッドが回動せず、安定して作業を行うことができる。
【図面の簡単な説明】
【００２７】
【図１】本発明に係る窓用清掃具の一例を示す側面図である。
【図２】図１のII −II矢視図である。
【図３】図２のIII −III断面図である。
【図４】図２のIV −IV断面図である。
【図５】本発明に係る窓用清掃具の使用状態の一例を示す側面図で、（ａ）は高所の窓ガラスに対する使用状態を表し、（ｂ）は、低所の窓ガラスに対する使用状態を表す。
【図６】本発明に係る窓用清掃具の使用状態の一例を示す側面図である。
【図７】本発明に係る窓用清掃具の使用状態の一例を示す側面図である。
【図８】本発明に係る窓用清掃具の使用状態の一例を示す側面図である。
【図９】本発明に係る窓用清掃具の使用状態の一例を示す側面図である。
【図１０】本発明に係る窓用清掃具の他の例を示す図で、（ａ）は側面視における使用状態を表し、（ｂ）は正面視における使用状態を表す。
【図１１】本発明に係る窓用清掃具の参考例を示す図で、（ａ）は側面図、（ｂ）は（ａ）のｂ−ｂ矢視図である。
【図１２】図１１に示す窓用清掃具の使用状態を表す側面図である。
【図１３】本発明に係る窓用清掃具の他の参考例を示す図で、使用状態を表す側面図である。
【図１４】従来の窓用清掃具の一例を示す側面図で、（ａ）は高所の窓ガラスに対する使用状態を表し、（ｂ）は、低所の窓ガラスに対する使用状態を表す。
【発明を実施するための最良の形態】
【００２８】
本発明の好ましい実施の形態について、図面を参照しつつ具体的に説明する。
【００２９】
図１〜図４は、本発明に係る窓用清掃具の一例を示している。本実施形態の窓用清掃具Ａは、ヘッド１、ヘッドホルダ２、ワイパーブレード３、スポンジ体４、一対のガイド体５、およびロック機構Ｌを備えている。
【００３０】
ワイパーブレード３は、所定長さを有する長矩形の平板状とされており、短手方向の一端側には長手方向全長にわたって板状部の厚みよりも大きい厚みの膨出部３１を有している。この膨出部３１は、後述する凹部１１，１２に対応した形状である。ワイパーブレード３は、弾性を有する部材から一体形成され、たとえばスチレンブタジエンゴムをフォーミングするなどして得られる。
【００３１】
スポンジ体４は、ワイパーブレード３の長手方向長さと同等の長さを有する円柱状とされており、スポンジの外周表面に不織布が被覆された構成とされている。スポンジ体４には、長手方向に沿って突出する取付部４１が形成されている。
【００３２】
ヘッド１は、全体としてワイパーブレード３の長手方向に延びるブロック状を呈しており、その長手方向に沿って２分割可能な第１ヘッド部１ａと第２ヘッド部１ｂとから構成されている。第１ヘッド部１ａおよび第２ヘッド部１ｂは、それぞれ、たとえばＡＢＳ樹脂などの所定の強度を有する樹脂により一体形成されている。
【００３３】
第１ヘッド部１ａおよび第２ヘッド部１ｂの内壁には、凹部１１，１２が長手方向に沿って対向するように形成されている。ワイパーブレード３の膨出部３１が凹部１１，１２に包囲されるようにワイパーブレード３を第１ヘッド部１ａと第２ヘッド部１ｂとの間に挟持させることにより、ワイパーブレード３はヘッド１に装着される。第１ヘッド部１ａおよび第２ヘッド部１ｂには、鍔部１３，１４が、凹部１１，１２から離間する適所に長手方向に沿って対向するように形成されている。スポンジ体４の取付部４１を鍔部１３，１４間に挟持させることにより、スポンジ体４はヘッド１に装着される。鍔部１３には、鍔部１４側に向いた複数の尖形状の係止突起１３ａが長手方向に沿って所定のピッチで形成されており、この係止突起１３ａによりスポンジ体４がヘッド１から脱落するのが防止される。
【００３４】
図３によく表われているように、第１ヘッド部１ａおよび第２ヘッド部１ｂの内壁の適所には、複数の係合筒１５および係合軸１６が対向するように設けられている。第１ヘッド部１ａおよび第２ヘッド部１ｂは、各係合筒１５に各係合軸１６を挿入してこれらをビス１７などで締結することにより、一体的に接続される。
【００３５】
ヘッドホルダ２は、図２〜図４に表われているように、後述するガイド体５の貫通孔５２に嵌入される一対の軸部２１と、柄を連結するための柄部２２と、ロック機構Ｌを構成する係合部２３とを有している。このヘッドホルダ２は、たとえばＡＢＳ樹脂などの所定の強度を有する樹脂により一体形成されている。
【００３６】
一対の軸部２１は、ヘッドホルダ２の長手方向一端側に形成されている。各軸部２１の中心は、ヘッドホルダ２の長手方向に垂直な所定の軸心と一致している。各軸部２１の外径は貫通孔５２の内径よりも僅かに小とされている。柄部２２は、ヘッドホルダ２の長手方向他端側に延びるように形成されており、棒状の柄６の外径と同等の内径の円筒内面を有している。柄６は、この柄部２２に嵌合されてヘッドホルダ２に連結される。係合部２３は、後述する操作レバー７に形成された係合凸部７１と係合可能な凹状の係合段部２３ａを有している。
【００３７】
一対のガイド体５は、ヘッド１の長手方向に所定の間隔を隔てて設けられている。各ガイド体５は、所定の厚みと幅を有するとともに湾曲状に延びるガイド部５１と、貫通孔５２と、第２ヘッド部１ｂに係止するための係止片５３と、操作レバー７に対する位置決め用の凹部（図示略）とを有している。ガイド体５は、所定の弾性を有する樹脂により一体形成されている。
【００３８】
操作レバー７は、係合凸部７１と、第２ヘッド部１ｂに係止するための係止片７２と、ガイド体５に対する位置決め用の一対の凸部（図示略）とを有している。操作レバー７は、所定の弾性を有する樹脂により一体形成されている。
【００３９】
ヘッド１にヘッドホルダ２を接続する際には、一対のガイド体５でヘッドホルダ２および操作レバー７を挟み込んだままガイド体５の係止片５３を第２ヘッド部１ｂの外周面に形成された開口部に挿入することにより行うことができる。より詳細には、ヘッドホルダ２の一対の軸部２１が一対のガイド体５の貫通孔５２に嵌入され、かつ操作レバー７の上記凸部がガイド体５の上記凹部に嵌入されるように一対のガイド体５とヘッドホルダ２と操作レバー７とを位置決めしたまま第２ヘッド部１ｂの開口部より挿入すれば、ガイド体５の係止片５３および操作レバー７の係止片７２が弾性変形し、第２ヘッド部１ｂに形成された係止部１８，１９に係止される。これにより、一対のガイド体５および操作レバー７は、ヘッド１に対して一体的に固定される。
【００４０】
ここで、ガイド体５のガイド部５１は、ヘッド１から片持ち状に延出するように設けられている。また、図７に示すように、ガイド部５１は、ワイパーブレード３とともにガラス面Ｓに当接させた状態において、ガイド部５１のガラス面Ｓとの当接部位５１ａがガラス面Ｓ側に突出する湾曲形状となっているとともに、この当接部位５１ａとワイパーブレード３のガラス面Ｓに対する当接箇所３ａとは比較的大きい所定の間隔を有している。そして、図７に示す状態において、当接部位５１ａは、ワイパーブレード３に対してヘッドホルダ２側に位置する。この状態においてヘッド１をガラス面Ｓに所定の押圧力で押し付けると、ガイド部５１は弾性変形し、同図の点線で示す状態となる。
【００４１】
上述したように、ヘッドホルダ２の軸部２１の外径がガイド体５の貫通孔５２の内径よりも僅かに小とされているので、ヘッドホルダ２と一対のガイド体５とは、一対の軸部２１を中心として相対回動可能である。また、一対のガイド体５はヘッド１に対して一体的に固定されているため、ヘッド１は、ヘッドホルダ２に対してヘッド１の長手方向と平行な一対の軸部２１を中心として回動可能となる。
【００４２】
ロック機構Ｌは、ヘッドホルダ２に対するヘッド１の回動を規制してロックするためのものであり、図３によく表われているように、操作レバー７と、ヘッドホルダ２の適所に開口部として設けられた係合部２３とから構成される。操作レバー７を係合部２３に向けて押し付けた際には、操作レバー７が弾性変形し、ヘッドホルダ２の係合段部２３ａに操作レバー７の係合凸部７１が係合する。ここで、操作レバー７はヘッド１に対して一体的に固定されているので、係合段部２３ａに係合凸部７１が係合することによりヘッド１の回動が規制された状態に維持される。そして、この状態において操作レバー７の先端部に対してヘッドホルダ２の柄部２２に向けて一定以上の操作力が加えられると、係合段部２３ａと係合凸部７１との係合が解除されるように構成されている。
【００４３】
次に、上述した窓用清掃具Ａの作用について図５〜図９を参照して説明する。
【００４４】
この窓用清掃具Ａを使用する際には、図５（ａ）に示すように、ワイパーブレード３の長手方向が略水平となるようにヘッドホルダ２に連結された柄６を掴んで、ワイパーブレード３を窓ガラスのガラス面Ｓに押し付けたままヘッド１を下方にスライドさせてガラス面Ｓに付着した水滴を掻き落とすように操作する。このとき、窓用清掃具Ａでは、ヘッド１がヘッドホルダ２に対してヘッド１の長手方向と平行な一対の軸部２１を中心として回動可能であり、かつヘッド１には一対のガイド体５が設けられているので、ワイパーブレード３をガラス面に押し付けることによって一対のガイド体５（ガイド部５１）はワイパーブレード３とともにガラス面Ｓに当接する。ここで、一対のガイド体５はヘッド１の長手方向に所定の間隔を隔てて設けられているので、ワイパーブレード３は長手方向全長にわたってガラス面Ｓに当接することができる。そして、そのままヘッド１を下方にスライドさせると、図５（ｂ）に示すように、ヘッド１はヘッドホルダ２に対して一対の軸部２１を中心として回動することによりガラス面Ｓに対して所定の姿勢に維持される。すなわち、ヘッド１の高さが変わることによりガラス面Ｓと柄６との間の角度αが変化しても、ワイパーブレード３がガラス面Ｓに対して所定の角度をなすように維持され、ガラス面Ｓに付着した水滴を除去することができる。したがって、本発明によれば、窓ガラスに付着した水滴を除去するのに際し、高所から低所に至る範囲の窓ガラスに対して、不都合なく作業することが可能となり、作業効率が向上する。
【００４５】
本実施形態における窓用清掃具Ａでは、ガイド部５１は、ワイパーブレード３とともにガラス面Ｓに当接させた状態において、このガイド部５１のガラス面Ｓとの当接部位５１ａがワイパーブレード３に対してヘッドホルダ２側に位置するように構成されているので、窓ガラスの水滴を除去する際には、当接部位５１ａがワイパーブレード３よりも下方に位置することとなる。そのため、一対のガイド部５１をワイパーブレード３とともにガラス面Ｓに当接させておけば、ヘッド１の高さが変わることによりガラス面Ｓと柄６との間の角度が変化しても、ワイパーブレード３がガラス面Ｓに対して垂直ないし下方に少し傾斜する状態が適切に維持される。したがって、本発明によれば、ワイパーブレード３がガラス面Ｓに対して適切な角度を維持したままヘッド１を下方にスライドさせることができるので、ガラス面Ｓに付着した水滴を適確に掻き落とすことが可能となり、作業効率の向上を図るうえで好適である。
【００４６】
本実施形態において、ガイド部５１は、ワイパーブレード３とともにガラス面Ｓに当接させた状態において当接部位５１ａがガラス面Ｓ側に突出する湾曲形状とされているので、ガイド部５１をワイパーブレード３とともにガラス面Ｓに押し付けたままヘッド１を下方にスライドさせる際に、ガラス面Ｓとガイド部５１との接触抵抗を低減させることができる。また、図６に示すように、窓ガラスの垂直方向の途中においてガラス面から突出する桟などの突出部Ｐに対しても、ガイド部５１が突出部Ｐに引っ掛かることなく、橇のような作用によって円滑に乗り越えることが可能となる。したがって、このような突出部Ｐを有する窓ガラスの水滴を除去する場合においても不都合なく作業を行うことが可能となり、作業効率の向上を図るうえで好適である。ここで、ガイド部５１の当接部位５１ａとワイパーブレード３のガラス面Ｓに対する当接箇所３ａとは比較的大きい所定の間隔を有しているので、ヘッド１のガラス面Ｓに対する姿勢は殆ど変化することなく、水滴を除去する機能に何ら影響を与えることもない。したがって、突出部Ｐの間際に付着した水滴も残さずに除去することができる。
【００４７】
また、本実施形態において、ガイド部５１は、ワイパーブレード３とともにガラス面Ｓに当接させた状態において、ヘッド１をガラス面Ｓに押し付けようとする荷重に対して、図７の点線で示すように弾性的に変形する。そのため、ガイド部５１が突出部Ｐに当たった際にはサスペンション効果により衝撃を吸収し、より円滑に突出部Ｐを乗り越えることができる。なお、上述のようにガイド部５１が弾性的に変形可能であると、ヘッド１をガラス面Ｓに押し付けようとする荷重に対し、ワイパーブレード３のみが弾性的に変形してワイパーブレード３がガラス面に対して極端に傾斜してしまうことが抑制され、ガラス面に付着した水滴を適確に掻き落とすうえで好適である。
【００４８】
本実施形態における窓用清掃具Ａでは、ヘッドホルダ２に対するヘッド１の回動を規制してロックすることが可能なロック機構Ｌが設けられているので、このロック機構Ｌを作用させておくことにより、従来技術と同様の使用方法が可能となる。すなわち、ヘッド１の回動を規制するようにロックしておけば、図８に示すように、ガイド部５１をガラス面Ｓに当接させることなくワイパーブレード３のみをガラス面Ｓに押し付けることができる。したがって、窓ガラスの水滴を除去する際に使用方法の選択が可能となり、作業者にとって使い勝手が良好となる。
【００４９】
また、本実施形態においては、操作レバー７の係合凸部７１とヘッドホルダ２の係合段部２３ａとの係合によってヘッド１の回動が規制されたロック状態に維持されるので（図３参照）、ロック機構Ｌの構造の簡素化を図りつつ、作業中にロック状態が不当に解除されるといった不具合を適切に回避することができる。
【００５０】
本実施形態における窓用清掃具Ａでは、ワイパーブレード３と離間する位置にヘッド１の長手方向に所定長さを有するスポンジ体４が装着されているので、図９に示すようにスポンジ体４に水あるいは洗剤を含浸させてガラス面Ｓを擦ってガラス面Ｓに付着した埃などを拭き取り、そのあとにワイパーブレード３でガラス面Ｓに付着した水滴などを除去するといった使用が可能となる。このように、本発明に係る窓用清掃具Ａは２種類の異なる清掃機能を具備するので、２種類の窓用清掃具を別々に準備する必要がなく、清掃作業効率の向上を図るうえで好適である。また、スポンジ体４を使用する際にロック機構Ｌを作用させておくと、スポンジ体４をガラス面Ｓに押し付けてもヘッド１が回動せず、安定して作業を行うことができる。
【００５１】
図１０〜図１３は、本発明に係る窓用清掃具の他の例および参考例を示している。なお、図１０以降の図面においては、上記実施形態と同一または類似の要素には、上記実施形態と同一の符号を付しており、その説明を省略する。
【００５２】
図１０に示された窓用清掃具Ａ１においては、ヘッド１とヘッドホルダ２とは可撓部８を介して接続されている。この可撓部８は、たとえばゴムなどの弾性変形可能な部材で構成することができる。ここで、ヘッド１はヘッドホルダ２に対して全方向に回動可能であり、この点において上記実施形態における窓用清掃具Ａとは異なっている。
【００５３】
本実施形態によれば、ヘッド１を下方にスライドさせるにあたり、図１０（ｂ）に示すように、作業者が柄６を斜め上方に向けたままヘッド１を下方にスライドさせるといった使用が可能となり、作業者にとって使い勝手が良好となる。具体的には、作業対象となるガラス面Ｓに対して、作業者が横方向に移動することなくヘッド１のみを横方向にずらしながら作業を行うことができる。また、ガラス面Ｓの清掃箇所の真下に作業者が位置できないような場合であっても、その清掃箇所においてヘッド１を下方にスライドさせることが可能であり、ガラス面Ｓのコーナー部周辺に付着した水滴も残さずに除去することができる。なお、本発明における可撓部は、上述したゴムなどの弾性部材よって構成されるものに限定されない。たとえば、ユニバーサルジョイントなどの全方向に回動可能なジョイント部材によって構成してもよい。さらに、可撓部としては、上記のような別部材で構成するものに限定されない。たとえば、ヘッドとヘッドホルダとが樹脂により一体形成され、これらの間に所定以上の外力により撓み変形可能な部位を設けることにより可撓部を構成することもできる。
【００５４】
本発明の参考例としての図１１に示された窓用清掃具Ａ２においては、ガイド体の構成が上記実施形態におけるものと異なっている。この例では、一対のガイド体５'は、それぞれ上記実施形態におけるガイド部５１に代えてローラ５３を有する構成とされている。より詳細には、ローラ５３は、ヘッド１から延出するように設けられた支持部５４に装着され、ヘッド１の長手方向と平行な中心軸Ｈ周りに回転可能な構成とされている。
【００５５】
この例によれば、ローラ５３をワイパーブレード３とともにガラス面Ｓに押し付けたままヘッド１を下方にスライドさせる際には、図１２に示すように、ローラ５３がガラス面Ｓ上で転動することとなり、ガラス面Ｓに対するガイド体５'の接触抵抗をより効率よく低減させることができる。また、ガラス面Ｓから突出する突出部Ｐがある場合でも、ローラ５３の外径を突出部Ｐの高さに対応する所定以上の寸法にしておくと、ローラ５３が突出部Ｐに引っ掛かることなく円滑に乗り越えることが可能となる。なお、ローラ５３の外周部をゴムなどのガラス面に対するグリップ力に優れた材料で形成しておくと、ローラ５３がガラス面Ｓ上でスリップすることは抑制され、ローラ５３をガラス面Ｓ上で円滑に転動させるうえで好適である。
【００５６】
本発明の他の参考例としての図１３に示された窓用清掃具Ａ３は、上記した窓用清掃具Ａ２の変形例を示している。図１１に示す窓用清掃具Ａ２では、ガイド体５'は支持部５４に対して１つのローラ５３が装着された構成であったが、この窓用清掃具Ａ３においては、ガイド体５"は、支持部５４'に対して複数のローラ５３'が装着された構成とされている。より詳細には、支持部５４'は、ワイパーブレード３をガラス面Ｓに当接させた状態においてガラス面Ｓ側に突出する湾曲形状とされており、この支持部５４'に沿うようにして、複数のローラ５３'が所定の間隔を隔てて回転自在に取り付けられている。
【００５７】
以上、本発明の具体的な実施形態を説明したが、本発明はこれに限定されるものではなく、発明の思想から逸脱しない範囲内で種々な変更が可能である。
【００５８】
本発明におけるガイド体は、ヘッドの姿勢を維持するためのものであれば、上記実施形態の構成に限定されない。たとえば、ガイド体はヘッドと一体成形されたものであってもよく、ガイド体のガイド部の形状としては湾曲した棒状などの他の形状を採用することもできる。また、ガイド体のガイド部は所定の荷重に対して弾性変形を容易化するために、その幅や厚みを部分的に異ならせてもよい。
【００５９】
本発明におけるロック機構は、ヘッドホルダに対するヘッドの回動を規制してロックする機能を有していればよく、たとえば磁石や面着ファスナーなどを使用するといった上記実施形態とは異なる構造を採用することもできる。
【００６０】
本発明に係る窓用清掃具は、スポンジ体を具備しない構成であってもよい。
【００６１】
本発明における窓用清掃具を構成する各部材の具体的な形状や材質なども限定されるものではない。
【図１】
0004418821.tif 000002
【図２】
0004418821.tif 000003
【図３】
0004418821.tif 000004
【図４】
0004418821.tif 000005
【図５】
0004418821.tif 000006
【図６】
0004418821.tif 000007
【図７】
0004418821.tif 000008
【図８】
0004418821.tif 000009
【図９】
0004418821.tif 000010
【図１０】
0004418821.tif 000011
【図１１】
0004418821.tif 000012
【図１２】
0004418821.tif 000013
【図１３】
0004418821.tif 000014
【図１４】
0004418821.tif 000015